(57)【特許請求の範囲】
【請求項１】
２個の光ファイバ（１、２）を有するバス回路網に接続された光ノードであって、前記光ノードは、他のＮ−１個の光ノードの中の受信機（Ｒｘ：１〜３）および送信機（Ｔｘ：１〜３）と、異なる方向に通信するように適合され、前記光ノードは、前記光ファイバ（１、２）の一方の中に送信機（Ｔｘ：１〜３）から対応する数の波長チヤンネルを入力するために配置された少なくともＮ−１個のマルチプレクサ（４ａ、ｂ、ｃ）と、前記光ファイバ（１、２）の一方から受信機（Ｒｘ：１〜３）に対応する数の波長チヤンネルを分岐するために配置された少なくともＮ−１個の波長選択デマルチプレクサ（３ａ、３ｂ、３ｃ）とを有し、
前記光ノードは、前記バス回路網の中に中断が生ずる時、前記バス回路網の中の前記光ファイバ（１、２）の間でマルチプレクサ（４ａ、４ｂ、４ｃ）および／またはデマルチプレクサ（３ａ、３ｂ、３ｃ）をスイッチするために配置された少なくともＮ個の光安全スイッチング・デバイス（Ｓ１〜Ｓ５）を有し、
前記光ファイバ（１、２）は、前記ノードの中に配置された最初の安全スイッチング・デバイス（Ｓ１）の上流位置から前記光ノードの中に配置された最後の安全スイッチング・デバイス（Ｓ５）の下流位置へ同じ伝送方向に前記安全スイッチング・デバイスを通して通過するように配置され、
１対のマルチプレクサ／デマルチプレクサ（３ａ、４ａ；３ｂ、４ｂ；３ｃ、４ｃ）のみが別の光ノードへの接続およびまた別の光ノードからの接続を一緒に保持する波長チヤンネルに入力するためにまたは分岐するために配置されることとを特徴とする、前記光ノード。
【請求項２】
請求項１に記載の光ノードであって、光ノードはそれぞれ複数の送信機（Ｔｘ：１〜３）および複数の受信機（Ｒｘ：１〜３）を有することを特徴とする、前記光ノード。
【請求項３】
請求項１に記載の光ノードであって、送信機（Ｔｘ：１〜３）および受信機（Ｒｘ：１〜３）のおのおのが固定された波長割当てを有することを特徴とする、前記光ノード。
【請求項４】
請求項１から３までのいずれか１項に記載の光ノードであって、さらにＮ＋１個の光安全スイッチング・デバイスを有し、そのうちの１個の光安全スイッチング・デバイスが１対のマルチプレクサ／デマルチプレクサの間に配置されることを特徴とする、前記光ノード。
【発明の詳細な説明】
背景技術
本発明は、光バス回路網の中の光ノードに関する。このノードは、特定の波長チヤンネルに適合しおよび他のノードの中の対応する波長チヤンネルに対する受信機および送信機と光バス回路網を通して通信するために配置された、送信機および受信機を有する。
本発明はまた、光バス回路網の中で実行される工程に関する。
先行技術
遠距離通信の分野では、大容量の通信がしばしば必要になる。光通信により変調された光信号を用いることによって、大量のデータを非常に高速に送信することができる。
共用される光媒体を通して複数個の光信号を伝送するために、波長マルチプレクシング（ＷＤＭ）が用いられる。信号は独立した波長チヤンネルを通して送られる。これらの独立した波長チヤンネルは、光ファイバの中に同時に存在することができる。
光送信は、相互通信に適合し光学的に結合した複数個のノードを有する光バス回路網の中で行うことができる。光バス回路網が２個の光ファイバにより相互に直列に接続されたＮ個のノードを備えている場合、ノードの間での双方向通信は、第１ファイバを１つの方向の伝送に用いそして第２ファイバを他の方向の伝送に用いることにより行うことができる。ノードのおのおのは、１個の波長チヤンネルを用いることによりノード相互間で通信を行う。このことは、少なくともＮ−１個の波長チヤンネルがそれぞれの光ファイバの中に同時に存在することを意味する。
ノードのおのおのは少なくともＮ−１個の受信機とＮ−１個の送信機とを有し、そしてこれらの受信機および送信機は、他のノードのこれらのチヤンネルに対応する送信機および受信機と波長チヤンネルを通して通信する。送信機のおのおのは２個の光ファイバの一方に入力される情報を送信する。受信機のおのおのは２個の光ファイバの一方から分岐された情報を受信する。
回路網の中で中断が起った場合、中断状態に対する１対の予備のファイバによりすべてのノードの間の通信が保持されるように、光バス回路網が完全に構成される。けれどもこの形式の中断は異なるノードの間の通信を作動させ、そしてこの形式の中断にはノードのおのおのの中の１個または複数個の受信機および送信機が関与していて、これらの受信機および送信機はいくつかのこれらの予備のファイバを通して１つの波長チヤンネルをそれぞれ受信および送信するように変更しなければならない。用いられる波長チヤンネルの数を制限するために、波長チヤンネルを再使用することが可能である。チヤンネルを再使用することは、１つのノードで受信される１個または複数個の波長チヤンネルが、もしそれが可能であるならば、同じファイバで同じノードからの伝送に用いられることを意味する。用いることができるチヤンネルの最少の数は、もしＮが偶数ならばＮ2／４個のノードの数により制限され、またはＮが奇数ならば（Ｎ2−１）／４個のノードの数により制限される。したがって同じチヤンネルが送信のために同じファイバで何回も用いられるから、回路網の中に中断が生じた時、２つのノードの間の通信がまた保持されなければならない場合に問題点が生ずることがある。
米国特許第５，１５９，５９５号はすでに、相互に環状に接続された多数個のノードを有する回路網を開示している。ノードのおのおのは、回路網を通して相互のノードと通信することができる。従来の回路網構成体の場合、メッセージのおのおのは発信ノードから行先ノードへ２つのノードの間で両方のファイバを通して送信される。同様に、反対向きの両方のファイバからメッセージが１つのノードで受信される。このことは、バス回路網の中で中断が起こった場合、スイッチングを必要としないで通信が保持できることを意味する。このシステムの１つの欠点は、回路網は通常は不必要な多大の波長チヤンネルを有し、したがって過大に大きな寸法を有することである。
発明の説明
本発明は、２個の光ファイバに接続され、そして光バス回路網の中の少なくとも２個の他の光ノードを備えた送信機および受信機を通して通信するのに適合した、光ノードに関する。このバス回路網は、バス回路網の中に中断が生じた後、２個のノードの間の通信がまた保持されることを確実に得るために、予備の通信路を有する。
この形式の安全が保証されたバス回路網が有する１つの問題点は、もしケーブルに欠陥があるならば、それでも通信を保持することができるように、他の光ファイバを通して通信をするなどの変更を受信機および送信機が行うことが必要である点である。
回路網の中に中断が生じた時、送信機／受信機を単純な方式でバス回路網の中でスイッチすることができる光ノードを備えることにより、前記の問題点を解決することが本発明により探求された。本発明によるノードは複数個の送信機および受信機を有し、そしてこれらの送信機および受信機は対となって、バス回路網の中の２個の光ファイバを通して任意の他のノードと通信を行うことができる。これらの光ファイバはバス回路網の中のノードとノードとを接続し、そしてそれぞれのノードの間で双方向通信を行うことができる。ノードは、バス回路網の中のノードの数と少なくとも同量の安全スイッチング・デバイスを有する。これらの安全スイッチング・デバイスはノードの中に配置され、それにより２個の光ファイバの間での送信機および受信機のスイッチングが行われる。
本発明はまた、送信機および受信機を必ずしも有しないがしかし、バス回路網の中の光ファイバの間で波長チヤンネルの結合を行う複数個のマルチプレクサおよびデマルチプレクサを有し、そしてそれによりこれらの波長チヤンネルに対する送信機および受信機を光ファイバに接続する、そのようなノードにも関している。このノードは、バス回路網の中のノードの数と同量の安全スイッチング・デバイスを少なくとも有する。これらの安全スイッチング・デバイスは、２個の光ファイバの間でこれらのマルチプレクサおよびデマルチプレクサをスイッチングするように配置される。
本発明によるノード構成体により、バス回路網の中の固定された複数個の波長に対する送信機および受信機に最少数の波長チヤンネルが割り当てられるように、チヤンネルの再使用も含んだチヤンネル割当てが行われて、バス回路網の中に中断が生じた時でも、これらの送信機および受信機を２個の光ファイバの間でスイッチすることが可能であり、そしてそれにより送信機および受信機のチヤンネル割当てが保持され、そしてバス回路網の中に存在するノードの間で通信を実行することができる。
この比較的単純な設計により、前記で説明された利点を備えたチヤンネル割当て工程が用いられていない他の方式のバス回路網の場合にも、本発明によるノード構成体はまた利点を有する。けれどもノードの利用に対する１つの条件は、回路網構成体に対する変化、例えばバス回路網の中のどこかに生ずる中断、によりバス回路網が影響される危険があるはずであるということであり、これらの変化は、光ファイバの間で送信機および受信機にスイッチングを行うことを必要とする。
本発明はまた、バス回路網の中に中断が生ずる時、光ノードの中で実行される工程に関する。
図面の説明
図１ａ〜図１ｃは、バス回路網の中の中断状態の異なる場合に対する４個のノードを備えた光バス回路網の図。
図２は、本発明による光ノードの第１実施例の図。
図３は、本発明による光ノードの第２実施例の図。
好ましい実施例
図面、特に図２および図３、を参照して本発明を詳細に説明する。図２および図３は、本発明による光ノードの２つの異なる実施例の図である。
図１ａ〜図１ｃは、４個のノードＡ、Ｂ、Ｃ、Ｄを有し、および予備のファイバ対３、４を備えた光バス回路網の図である。予備のファイバ対３、４は、正規のバス回路網の中に中断が起きた場合に用いることができる。これらのノードのおのおのは、３個の送信機と３個の受信機とを有する。ノードが回路網の中のどの位置に配置されるかに応じて、変動する数の送信機Ｔｘ：１〜４および変動する数の受信機Ｒｘ：１〜４が第１ファイバ１に接続される。例えば、第１ノードＡはファイバ１に接続された３個の受信機Ｒｘ：１〜３とファイバ２に接続された３個の送信機Ｔｘ：１〜３とを有する。これらの受信機はすべて図の左方に向かう信号を受け取り、そしてこれらの送信機はすべて図の右方に向かう信号を送り出す。他方最後のノードＤは、ファイバ２に接続された３個の受信機Ｒｘ：１、２、４と、ファイバ１に接続された３個の送信機Ｔｘ：１、２、４とを有する。中間のノードは、両方のファイバに接続された送信機Ｔｘと受信機Ｒｘとの両方を有する。
図に示された光バス回路網の送信機Ｔｘのおのおのは、与えられた波長のいわゆる波長チヤンネルの信号を送信する。回路網の受信機Ｒｘのおのおのは、与えられた波長チヤンネルの信号を受信し、そしてその他の波長チヤンネルを次のノードに通過させることができる。同じ共通ファイバ部分では、波長が同じ２つのチヤンネルは決して生じない。それはそのような場合には、これらのチヤンネルが受信機で分離されないであろうからである。このことは、１つのノードの中の受信機で受信されるチヤンネルは、その光バス回路網から完全に排除されなければならないことを意味する。それぞれのノードの送信機／受信機の対は、相互のノードとの通信のために保持される。すなわち、第１ノードの送信機は特定の他のノードに１つの波長チヤンネルを送信し、そして第１ノードの受信機は他のノードから１つの波長チヤンネルを受信する。第１ノードのこの送信機とこの受信機は、第１ノードの中に送信機／受信機対を形成し、そしてこの送信機と受信機とが一緒になって、第１ノードが第２ノードと完全に通信することを可能にする。したがってこれらのノードのおのおのは、回路網の中に存在する他のノードの数と同量の送信機／受信機の対を有する。
図１ａは、正規状態の光バス回路網、すなわち中断が起こっていない回路網の図である。図１ａにおいて、予備のファイバ対が点線で示されている。予備のファイバ対が点線で示されているのは、予備のファイバ対は正規の状態では通信に用いられないことを明確に示すためである。図に示されたバス回路網では、チヤンネルが再使用される。すなわち、異なるノードの間の通信のために最少数のチヤンネルを用いることができるために、１つのノードで受信された波長チヤンネルは、もし可能であるならば、同じファイバの同じノードからの通信のために用いられる。図１ａに示されたバス回路網の場合、波長チヤンネル２は受信機Ｒｘ：２により受信される。同じノードの送信機Ｔｘ：２は、ノードＤへの送信のために同じチヤンネルを再び使用する。Ｎ個のノードを有するバス回路網におけるチヤンネル再使用は、バス回路網はもしＮが奇数ならば最低限（Ｎ2−１）／４個の波長チヤンネルを割り当てなければならない、そしてもしＮが偶数ならば最低限Ｎ2／４個の波長チヤンネルを割り当てなければならない、ことを意味する。これらのノードのおのおのには、そのノードへの通信またはそのノードからの通信のために、ファイバのおのおのにＮ−１個のチヤンネルが割り当てられる。図に示された４個のノードを有するバス回路網の例では、このことは、もし少なくとも４個の異なる波長チヤンネルがこの通信のために用いられるならば、すべてのノードの間の通信を維持することができることを意味する。これらのノードのおのおのには、他のノードへの通信のために３個の波長チヤンネルが割り当てられている。これらの波長チヤンネルは、それらが１つのノードで受信される時、直接に再使用される。本発明によるノードはまたもちろん、チヤンネルが再使用されないバス回路網にも用いることもできる。
図１ｂは、オリジナルのバス回路網のノードＡとノードＢの間のファイバが破損した後の新しい構成体の図である。この場合、ノードＡと他のノードとの間の通信を行うために、予備のファイバを用いなければならない。図１ａによるチヤンネル割当てが最少限の数の波長チヤンネルの割り当てに基づいているのであるけれども、利点のあるチヤンネル分布を用いることにより、図１ａに従う場合と同じチヤンネルを用いて異なるノードの間の通信を行うことは可能である。けれどもすべてのノードで、与えられた送信機および受信機は図１ａに示された場合と反対側の光ファイバを用いなければならない。中断が起こった後、右に進むトラフィックに対しノードＡが回路網の中に存続し、したがって、ファイバ２に接続された３個の受信機とファイバ１に接続された３個の送信機とを有しなければならない。ノードＢでは、変更は大幅に少ない。それは、ファイバの間でスイッチする必要があるのはノードＡとノードＢの間の通信に対する送信機および受信機だけであるからである。中断が起こる前、ノードＡと通信する予定であったノードＢの送信機は、図の左に向かう方向にファイバ１を通しての通信のために用いられた。中断が起こった後では、その代わりにこれらの送信機は右に向って進む方向にファイバ２を通してノードＡと通信しなければならない。これとは異なって、ノードＡからの受信を行う予定のノードＢの受信機は、左に向って進むファイバからの情報、すなわちファイバ１からの情報、を受信するように変更されなければならない。対応する方式で、１個の送信機／受信機の対がノードＣでスイッチされなければならなく、そして１個の送信機／受信機の対がノードＤでスイッチされなければならない、などである。したがってノードＡとノードＢの間で中断が起こった結果、ノードＡのすべての送信機および受信機はファイバの間でスイッチされなければならなく、一方その他のノードではただ１つの送信機／受信機の対のみがスイッチされる必要がある。
図１ｃは、ノードＢとノードＣの間で中断が起こった対応する場合の図である。これらの図は、与えられたノードを通る２個の光ファイバの間の送信機および受信機を場合によってはスイッチすることが必要であることを示している。容易に分かるように、このようなスイッチングが要求される多くの場合の中で、これらの図に示された例はほんの少数の場合に過ぎない。
図２は、前記で説明されたスイッチングを実施するように構成された光ノードの第１実施例の図である。図に示されているノードは、図１に示されたバス回路網に対するものである。したがってノードのおのおのは、固定された波長割当てを有する３個の送信機Ｔｘと３個の受信機Ｒｘとを有する。これらの送信機および受信機は２本の光ファイバ１、２に接続される。これらのファイバは、ノードのファイバ１、２の両方が同じ方向に送信を行うようにノードを貫通している。図２に示されたノードは、図１のノードＡに対応する。したがってこのノードからの送信は、波長チヤンネル１、２および３に対して予定された３個の送信機Ｔｘ：１〜３を通して行われる。図１に関連して説明されたように、このノードでの受信は同じ波長チヤンネル１、２および３を通して行われる。受信機Ｒｘ：１はこのノードの最も遠い上流に配置され、そして送信機Ｔｘ：３はこのノードの最も遠い下流に配置される。このノードは、これらの波長チヤンネルをそれぞれの受信機Ｒｘ：１〜３に分岐するための３個のデマルチプレクサ３ａ、ｂ、ｃと、対応する送信機Ｔｘ：１〜３からのこれらの波長チヤンネルを２本の光ファイバ１、２に入力するための３個のマルチプレクサ４ａ、ｂ、ｃとを有する。
このノードはまた、バス回路網の中に変化があった時にノードの中の必要なスイッチングを実行することができるために、５個の２×２安全スイッチング・デバイスまたは安全変更デバイスＳ１〜Ｓ５を有する。これらの安全スイッチング・デバイスのおのおのは、２個の入力と２個の出力とを有する。これらの中の第１入力は第１光ファイバ１に接続され、そして第２入力は第２光ファイバ２に接続される。対応した方式で、第１出力は第１光ファイバ１に接続され、そして第２出力は第２光ファイバ２に接続される。スイッチング・デバイスが第１状態にある時、ファイバ１に接続された入力からこのファイバに接続された出力に信号が結合され、一方ファイバ２に接続された入力からの信号は同じファイバに接続された出力に結合される。安全スイッチング・デバイスが他の状態にある時、ファイバ１に接続された入力からの信号はファイバ２に接続された出力にさらに結合される。対応した方式で、ファイバ２に接続された入力の信号はファイバ１に接続された出力に結合される。図に示された実施例では、安全デバイスＳ１〜Ｓ５の中の２個の安全変更デバイスの間には正確に１個の受信機より多い受信機および正確に１個の送信機より多い送信機が決して存在しないように、安全スイッチング・デバイスまたは変更デバイスが配置される。与えられた他のノードと通信する送信機／受信機の対Ｔｘ：１／Ｒｘ：２、Ｔｘ：２／Ｒｘ：３は決して同じファイバを使用しなく、したがって安全変更デバイスＳ１〜Ｓ５の両側にこの対を一緒に配置することができる。けれどもこの対の中の受信機および送信機は、受信機、すなわち受信機に分岐するためのデマルチプレクサ３ａ、３ｂ、３ｃが、送信機およびそのマルチプレクサ４ａ、４ｂ、４ｃに関してそのノードの下流には決してないように配置されなければならない。利点のあるチヤンネル割当ての場合、最少数の波長が用いられる時、ノードは５個の安全変更デバイス、すなわちＮ＋１個の安全変更デバイスを有しなければならない。それは、与えられた波長を備えた送信機は同じ波長に対する受信機に比べてノードの上流に決して配置されてはならないからである。このことは、１つの送信機／受信機の対に対するマルチプレクサ４ａとデマルチプレクサ３ａとの間に少なくとも１個の安全スイッチング・デバイスが配置されなければならないことを意味する。図２に示された実施例では、デマルチプレクサ３ａはノードの最も遠い上流に配置され、そしてマルチプレクサ４ａはノードの最も遠い下流に配置され、そしてデマルチプレクサ３ａの両側に安全スイッチング・デバイスＳ１、Ｓ２が配置され、そしてマルチプレクサ４ａの両側に安全スイッチング・デバイスＳ４、Ｓ５が配置される。もしデマルチプレクサ３ａがマルチプレクサ４ａに対してバス回路網の下流には決して配置されないならば、この分割されたデマルチプレクサ／マルチプレクサの対３ａ、４ａはまたノードの中の他の位置に配置することができる。
もし図１によるバス回路網の中にさらに別の波長が導入されるならば、バス回路網のすべての中断状態に対しスイッチングを実行するために、４個の安全変更デバイスすなわちＮ個の安全変更デバイスのみを備えた１個のノードで十分である。このような状態の１つの例が図３に示されている。図３の状態では、２個のさらに別の波長チヤンネル５および６により、Ｎ個の安全変更スイッチング・デバイスを備えたノード構成が可能である。
４個のノードとチヤンネル再使用とを備えたバス回路網の中の通信に対し図１ａに示された正規状態の場合、ノードＡのすべての送信機Ｔｘ：１〜３はファイバ２に送信し、そしてノードＡのすべての受信機Ｒｘ：１〜３はファイバ１で受信する。ノードＡに関してはこのことは、図２によるノードの安全スイッチング・デバイスＳ１〜Ｓ５は第１状態または正規状態に保持されなければならないことを意味する、すなわちファイバの間でスイッチングのない状態に保持されなければならないことを意味する。けれども２つのノードの間で中断が起こる時、安全スイッチング・デバイスは別のスイッチされた状態に変更されなければならない。図１ｃは、ノードＢとノードＣとの間でケーブルが破損した場合を例として示した図である。この場合には、ノードＡの波長チヤンネル１と波長チヤンネル３に対する送信機はファイバ１に結合されなければならなく、そして同時に波長チヤンネル１および２に対する受信機はファイバ２にスイッチされなければならない。スイッチング・デバイスが作動してファイバ１とファイバ２との間でスイッチングが起こって異なる状態に転換する結果として、このことを実行することができる。
下記の表１は、バス回路網の中のそれぞれの形式の中断状態のおのおのに対し、ノードＡのそれぞれの送信機および受信機にどのファイバ（１または２）が用いられるかを示した表である。下記の表は、２個の平行な線路を備えた安全スイッチング・デバイスの第１状態を示している。安全スイッチング・デバイスの第２状態は掛算印Ｘにより示されている。下記の表は、異なる中断状態の場合のノードＡの安全スイッチング・デバイスのおのおのに対する状態と、図２によるノード設計とを示している。
0003795079.tif 000002
もし回路網の中の中断がノードＢとノードＣの間で起こるならば、正規の場合のようにファイバ２を通しての代わりに、このことはファイバ１を通して波長チヤンネル１および３がノードＡから送信されなければならないことになる、したがってこれらの波長チヤンネルを結合するマルチプレクサ４ａ、４ｂは、これらのチヤンネルが代わりのファイバ１を通して結合されるようにスイッチされなければならない。対応する方式で図１ｃは、中断が起った後、チヤンネル１および２に対する受信機がファイバ２に結合されなければならないことを示す。波長チヤンネル１および２を分岐するデマルチプレクサ３ａ、３ｂは、これらの波長チヤンネルをファイバ２から分岐するようにスイッチされなければならない。表１には、もし安全スイッチング・デバイスＳ１、Ｓ３、Ｓ４およびＳ５が状態を変えるように作動されるならば、中断に適応したノードが得られることを示している。
したがって４個のノードを備えた図２によるバス回路網の中の１つのノードは、チヤンネル再使用を備えた図１に示されたチヤンネル割当ての場合、送信機および受信機をそれぞれの必要なファイバ状態にスイッチすることができるために、５個の安全スイッチング・デバイスＳ１〜Ｓ５を有しなければならない。合計で、Ｎ個のノードを有するバス回路網の中の１つのノードは、回路網の中の可能なあらゆる中断状態に適応できるように送信機および受信機をスイッチすることができるために、もし最少数のチヤンネルがバス回路網に割り当てられたならば、すなわちもしＮが奇数ならば（Ｎ2＋１）／４個のチヤンネルがそしてもしＮが偶数ならばＮ2／４個のチヤンネルがバス回路網に割り当てられたならば、Ｎ＋１個の安全スイッチング・デバイスを有しなければならない、ことを全体的に意味する。
もしバス回路網に対するチヤンネル割当てが完全なチヤンネル再使用と共には実行できないならば、Ｎ個のノードを有するバス回路網の中の機能するノードはＮ個の安全スイッチング・デバイスで、すなわち図２に示されたよりは１個少ない安全スイッチング・デバイスで、実現することができる。図３はノードＡに対するこのノード構成体を示す。このノードは４個のノードのみを有する。そしてこのノードは、完全なチヤンネル再使用が用いられていない図１ａ〜ｃに示された状態に対し、満足には機能しない。図３に示された実施例では、波長チヤンネル５および６の２個のさらに別のチヤンネルが付加された。これらの予備のチヤンネルは、４個の安全スイッチング・デバイスＳ１〜Ｓ４がこのノードの中で十分であることを意味する。ノードの中のＮ−２個だけのまたはさらに少数個の送信機波長および受信機波長が同じであるようにもしチヤンネルが割り当てられるならば、すなわち少なくとも１個の受信機および少なくとも１個の送信機が対応する波長で動作しないならば、図３に従い、Ｎ個の２×２安全スイッチング・デバイスを有するノードを用いることが可能である。または、もし他のノードへの通信および他のノードからの通信が同じ波長で対で実行されるべきであるならば、すなわちノードＢがノードＡに対して通話するのと同じ波長でノードＡがノードＢに対して通話するなどであるならば、同じノード構成体を用いることができる。その場合、２個の分離した２×２安全スイッチング・デバイスの間で、同じ波長で受信機と一緒に送信機が配置される。
本発明は図を参照して説明された前記実施例に限定されるわけではなく、下記の請求の範囲内において種々の変更実施例が可能である。
【図１ａ】
0003795079.tif 000003
【図１ｂ】
0003795079.tif 000004
【図１ｃ】
0003795079.tif 000005
【図２】
0003795079.tif 000006
【図３】
0003795079.tif 000007